(57)【要約】【課題】両面読取方式の原稿読取速度および変倍率設定への対応の柔軟性に優れる画像処理装置を提供する。【解決手段】画像処理装置に備わるパルス・モータ制御部３０５は、読取面の設定が、原稿表面読取部１１６により原稿の片面のみを読み取る設定と、原稿表面読取部１１６および原稿裏面読取部１１８により原稿の両面を読み取る設定とのいずれの場合においても、変倍率関数に基準搬送速度および変倍率を代入して得られる値により、搬送モータ制御部３０７を介して、原稿の搬送速度を制御するように構成されている。【選択図】      図２
2006115134.tif 000002
【特許請求の範囲】
【請求項１】
原稿を搬送する原稿搬送手段と、
前記原稿の搬送経路の一方の側に設けられている第一の原稿読取手段と、
前記原稿の搬送経路の他方の側に設けられており、前記第一の原稿読取手段の読取周期よりも大きい読取周期を有する第二の原稿読取手段と、
変倍率の設定を受け付ける変倍率受付手段と、
読取面の設定を受け付ける読取面受付手段と、
前記第一の原稿読取手段により前記原稿の片面のみを読み取り、前記変倍率が等倍率である場合の基準搬送速度を記憶する基準搬送速度記憶部と、
前記第一の原稿読取手段により前記原稿の片面のみを読み取る場合に、前記変倍率と前記基準搬送速度とから前記原稿の搬送速度を求めるための変倍率関数を記憶する変倍率関数記憶部と、
前記原稿の搬送速度を制御する搬送速度制御手段と、
を備え、
前記搬送速度制御手段は、
前記読取面の設定が、前記第一の原稿読取手段により前記原稿の片面のみを読み取る設定と、前記第一の原稿読取手段および前記第二の原稿読取手段により前記原稿の両面を読み取る設定とのいずれの場合においても、前記変倍率関数に前記基準搬送速度および前記変倍率を代入して得られる値により、前記原稿の搬送速度を制御するように構成されている
ことを特徴とする画像処理装置。
【請求項２】
請求項１に記載の画像処理装置において、
前記第一の原稿読取手段または前記第二の原稿読取手段が読み取った原稿データを、前記変倍率に基づいて変形してなる出力データを作成する画像処理手段と、
前記出力データを出力する出力部と、
をさらに備える画像処理装置。
【請求項３】
請求項２に記載の画像処理装置において、
前記画像処理手段は、
前記読取面の設定が、前記第一の原稿読取手段および前記第二の原稿読取手段により前記原稿の両面を読み取る設定の場合には、前記第一の原稿読取手段が読み取った原稿データと、前記第二の原稿読取手段が読み取った原稿データとの解像度を、低い方の解像度にあわせて調整するように構成されている
ことを特徴とする画像処理装置。
【請求項４】
請求項２に記載の画像処理装置において、
前記画像処理手段は、
前記読取面の設定が、前記第一の原稿読取手段および前記第二の原稿読取手段により前記原稿の両面を読み取る設定の場合には、前記第一の原稿読取手段が読み取った原稿データと、前記第二の原稿読取手段が読み取った原稿データとのうち、低い方の解像度の原稿データを補間処理して、高い方の解像度にあわせて調整するように構成されている
ことを特徴とする画像処理装置。
【請求項５】
請求項１乃至４いずれかに記載の画像処理装置において、
前記第一の原稿読取手段は、ＣＣＤセンサを含み、
前記第二の原稿読取手段は、ＣＩＳセンサを含む
ことを特徴とする画像処理装置。
【請求項６】
請求項１乃至５いずれかに記載の画像処理装置において、
前記第一の原稿読取手段および前記第二の原稿読取手段は、ラインセンサであり、
前記第一の原稿読取手段および前記第二の原稿読取手段の読取周期は、固定値である
ことを特徴とする画像処理装置。
【発明の詳細な説明】
【技術分野】
【０００１】
本発明は、画像処理装置に関する。
【背景技術】
【０００２】
１パスタイプ（スイッチバックしないタイプ）での両面読取方式の画像処理装置は、２つのイメージセンサを構成して原稿の両面を光電的に読み取り、原稿を一回読取部に通すだけなので、スイッチバックタイプより読取時間をはやくできる。１パスタイプの両面読取型の画像処理装置においては、一般に両面読取用の２つの読取センサは、機構的なスペース（物像間距離）の関係にて、一方を非接触型のＣＣＤセンサ、他方を密着型のＣＩＳセンサとする場合が多い。
【０００３】
従来の両面読取方式の画像読取装置としては、例えば特許文献１に記載されたものがある。同文献に記載された画像読取装置を図５に示す。この画像読取装置は、画像読み取り情報を順次出力するＣＣＤセンサ部１０１６とＣＩＳセンサ部１０２０を備える。画像処理部１１０２は、画像メモリ部１１０３に対して画像の書き込み、読み出しを行う。ＣＰＵ１１０４は、画像処理部１１０２の設定や制御および画像情報の読み書きを行う。操作部１１１０により読み取りモード設定および読み取り動作開始指示を行い、表示部１１１１においてモード設定を行う。モータドライバ部１１１３は、第１および第２の原稿搬送制御部の搬送ローラを駆動させるモータ１１１４およびモータ１１１５を駆動させる。読み取り搬送方向（副走査方向）の変倍あるいは解像度変換は、ＣＣＤやＣＩＳの読み取り速度を一定にし、モータの駆動速度を変えることによって達成される。
【０００４】
この画像読取装置は、両面読み取り可能な画像読取装置を備えた画像形成装置において、原稿混載モード時にオート変倍が指定された場合において、前原稿の第１面を搬送しつつＣＣＤで読み取る。この後、この画像処理装置は、ＣＩＳでの第２面読み取りのための搬送中に、原稿後端が第１の搬送ローラを抜けた時に、第１の搬送ローラの速度を次原稿の原稿サイズにあわせた任意の変倍速度まで加速または減速させて、次原稿の第１面を読み取る。このため、原稿紙間を可能な限り縮めることができ、読み取りパフォーマンスのアップが可能となる旨、特許文献１に記載されている。
【０００５】
従来の両面読取方式の画像形成装置としては、例えば特許文献２に記載されたものがある。この画像形成装置は、両面読み取り時にはＣＩＳ（コンタクトイメージセンサ）を用いた等倍光学系のプロセススピードでＣＩＳ及びＣＣＤセンサでの両面画像の同時読み取りを行う。また、この画像形成装置は、片面原稿読み取り時にはＣＣＤセンサ用いた縮小光学系のプロセススピードでＣＣＤセンサでの画像読み取りを行う。また、ＣＣＤセンサへの入射光量を両面画像原稿の読み取り時と片面原稿画像の読み取り時とで切り換える。その際、この画像形成装置は、ＣＣＤの感光画素の蓄積時間、画素読み出し速度、及びアナログ信号処理部内の増幅回路のゲインを両面画像原稿の読み取り時と片面画像原稿の読み取り時とで切り換えるようにし、更に、原稿照明手段の照度を切り換える。
【０００６】
この画像形成装置は、両面原稿読み取り時には、ＣＩＳを用いた等倍光学系の原稿走査速度によりＣＩＳ及びＣＣＤセンサでの両面画像の同時読み取りを行う。また、この画像形成装置は、片面原稿読み取り時には、ＣＣＤセンサを用いた縮小光学系の原稿走査速度、つまり両面読み取り時よりも速い走査速度で片面画像を読み取る。このため、この画像形成装置によれば、片面原稿の読み取り速度を両面原稿の同時読み取り時よりも速くすることが可能となり、生産性の高い画像形成装置が得られる旨、特許文献２に記載されている。
【０００７】
従来の両面読取方式の画像処理装置としては、例えば特許文献３に記載されたものがある。この画像処理装置は、画像読取速度を段階的に切替可能に構成され両面原稿の表（おもて）面画像及び裏（うら）面の画像を同時に読み取り画像信号に変換する（ＣＣＤセンサおよびＣＩＳセンサを含む）両面画像読取部を備える。また、この画像処理装置は、読み取った画像データを電子ズーム処理によって出力倍率を変化させる副走査電子ズーム処理部を備える。また、この画像処理装置は、電子ズーム処理が施された画像データに画像処理を施す画像処理部を備える。また、この画像処理装置は、両面原稿読み取り時の副走査電子ズーム処理部での最大倍率を片面原稿読取時の最大倍率よりも小さく設定するとともに、出力倍率が副走査電子ズーム処理部の最大倍率を超える場合には、両面画像読取部の画像読取速度を調節して電子ズーム倍率が上記最大倍率を超えないようにする。
【０００８】
この画像処理装置は、両面画像読取時の読取速度を段階的に変化させ副走査方向の拡大率を増大させて副走査電子ズーム処理部における電子ズーム変倍（拡大）を制限する。このため、この画像処理装置は、両面画像読取時では、表面画像データおよび裏面画像データをそれぞれ１つの画像処理部で確実に処理でき、片面画像読取時では１つの読取面に２つの画像処理部を利用できる旨、特許文献３に記載されている。すなわち、両面読取時の裏面用画像処理部と、片面読取時の拡大用画像処理部とを共有できるため、片面の処理能力を低下させずに両面の処理ができる旨、特許文献３に記載されている。
【０００９】
【特許文献１】特開２００３−２６４６７１号公報
【特許文献２】特開２００４−４０３１２号公報
【特許文献３】特開２００２−７７５９６号公報
【発明の開示】
【発明が解決しようとする課題】
【００１０】
しかしながら、上記文献記載の従来技術は、以下の点で改善の余地を有していた。
【００１１】
第一に、上記文献記載の両面読取方式の装置では、機構的なスペース（物像間距離）の関係にて、原稿の両面を読み取るための２つのイメージセンサのうち、一方をＣＣＤセンサ、他方をＣＩＳセンサとして使用している。これらの装置の原稿の読取速度を速くするためには、イメージセンサの処理データレート（クロック）を上げることが有効であるが、ＣＣＤセンサとＣＩＳセンサとでは、処理速度の限界に差がある。この場合、これらの装置は、両面読み取り時には、原稿の読取周期を処理速度の遅いセンサ（ＣＩＳセンサ）側にあわせて読み取ることになり、片面と両面との読み取り時間に差が生じやすい。このため、これらの装置では、イメージセンサの処理データレートを上げても、読み取り時間を速める効果が薄れてしまう。
【００１２】
第二に、上記文献記載の両面読取方式の装置では、ＣＣＤセンサとＣＩＳセンサとでは、処理速度の限界に差があるため、変倍率の設定をした場合には、両面読み取り時には、ＣＣＤセンサとＣＩＳセンサとの性能に応じた原稿搬送速度の設定がさらに困難になる。このため、両面読み取り時の変倍率の設定への対応の面でさらなる改善の余地がある。
【００１３】
本発明は上記事情に鑑みてなされたものであり、両面読取方式の原稿読取速度および変倍率設定への対応の柔軟性に優れる画像処理装置を提供する。
【課題を解決するための手段】
【００１４】
本発明によれば、
原稿を搬送する原稿搬送手段と、
前記原稿の搬送経路の一方の側に設けられている第一の原稿読取手段と、
前記原稿の搬送経路の他方の側に設けられており、前記第一の原稿読取手段の読取周期よりも大きい読取周期を有する第二の原稿読取手段と、
変倍率の設定を受け付ける変倍率受付手段と、
読取面の設定を受け付ける読取面受付手段と、
前記第一の原稿読取手段により前記原稿の片面のみを読み取り、前記変倍率が等倍率である場合の基準搬送速度を記憶する基準搬送速度記憶部と、
前記第一の原稿読取手段により前記原稿の片面のみを読み取る場合に、前記変倍率と前記基準搬送速度とから前記原稿の搬送速度を求めるための変倍率関数を記憶する変倍率関数記憶部と、
前記原稿の搬送速度を制御する搬送速度制御手段と、
を備え、
前記搬送速度制御手段は、
前記読取面の設定が、前記第一の原稿読取手段により前記原稿の片面のみを読み取る設定と、前記第一の原稿読取手段および前記第二の原稿読取手段により前記原稿の両面を読み取る設定とのいずれの場合においても、前記変倍率関数に前記基準搬送速度および前記変倍率を代入して得られる値により、前記原稿の搬送速度を制御するように構成されている
ことを特徴とする画像処理装置が提供される。
【００１５】
この構成によれば、搬送速度制御手段は、原稿の片面のみを読み取る設定と、原稿の両面を読み取る設定とのいずれの場合においても、変倍率関数に基準搬送速度および変倍率を代入して得られる値により、原稿の搬送速度を制御する。すなわち、この構成によれば、相対的にみて、同一の解像度であれば、原稿の両面を読み取る場合においても、読取周期が小さい（主走査方向の走査速度が固定値である場合には、副走査方向の読取速度が大きい）第一の読取手段の副走査方向の読取速度を、読取周期が大きい（主走査方向の走査速度が固定値である場合には、副走査方向の読取速度が小さい）第二の読取手段の副走査方向の読取速度にあわせて低下することを抑制できる。このため、この構成によれば、処理速度の違う２種類のイメージセンサを用いて、処理速度の大きい方のイメージセンサの読取速度の低下を抑制しつつ、原稿の１パス両面読取が可能となる。
【００１６】
また、この構成によれば、第一の原稿読取手段により原稿の片面のみを読み取り、変倍率が等倍率である場合の基準搬送速度を記憶する基準搬送速度記憶部と、第一の原稿読取手段により原稿の片面のみを読み取る場合に、変倍率と基準搬送速度とから原稿の搬送速度を求めるための関数を記憶する変倍率関数記憶部とを備えるため、搬送速度制御手段は、原稿の片面のみを読み取る設定と、原稿の両面を読み取る設定とのいずれの場合においても、容易に変倍率に応じた値に原稿の搬送速度を制御することができる。このため、この構成によれば、処理速度の違う２種類のイメージセンサを用いて、原稿の１パス両面読取をする場合にも、変倍率の設定に柔軟に対応可能である。
【００１７】
よって、この構成によれば、両面読取方式の原稿読取速度および変倍率設定への対応の柔軟性に優れる画像処理装置が得られる。
【発明の効果】
【００１８】
本発明によれば、処理速度の違うイメージセンサにて、読み取り速度を落とさず１パス両面読み取りが可能となる。また、イメージメモリの節約にもなる。裏表の解像度を合わせることができる。
【発明を実施するための最良の形態】
【００１９】
本発明において、画像処理装置は、第一の原稿読取手段または第二の原稿読取手段が読み取った原稿データを、変倍率に基づいて変形してなる出力データを作成する画像処理手段と、出力データを出力する出力部と、をさらに備えてもよい。
【００２０】
この構成によれば、両面読取方式により読み取った原稿の表面画像データおよび裏面画像データをともに変倍率に応じて変形して出力することができる。また、変倍率に応じて原稿搬送速度も調整しているので、変倍率に基づいて読取画像データを変形しても、出力画像データの画質が大きく低下することも抑制できる。このため、変倍率設定への対応の柔軟性にさらに優れる画像処理装置が得られる。
【００２１】
本発明において、画像処理手段は、読取面の設定が、第一の原稿読取手段および第二の原稿読取手段により原稿の両面を読み取る設定の場合には、第一の原稿読取手段が読み取った原稿データと、第二の原稿読取手段が読み取った原稿データとの解像度を、低い方の解像度にあわせて調整するように構成することができる。
【００２２】
この構成によれば、第一の原稿読取手段が読み取った原稿データと、第二の原稿読取手段が読み取った原稿データとの解像度を、低い方の解像度にあわせて調整するため、全体として均一な解像度からなる出力データを作成することができる。このため、処理速度の大きい方のイメージセンサの読取速度の低下を抑制しつつ、均一な解像度の出力データが得られる。
【００２３】
本発明において、画像処理手段は、読取面の設定が、第一の原稿読取手段および第二の原稿読取手段により原稿の両面を読み取る設定の場合には、第一の原稿読取手段が読み取った原稿データと、第二の原稿読取手段が読み取った原稿データとのうち、低い方の解像度の原稿データを補間処理して高い方の解像度にあわせて調整するように構成することができる。
【００２４】
この構成によれば、第一の原稿読取手段が読み取った原稿データと、第二の原稿読取手段が読み取った原稿データとの解像度を、補間処理により高い方の解像度にあわせて調整するため、画質の低下を抑制しつつ、全体として均一な解像度からなる出力データを作成することができる。このため、処理速度の大きい方のイメージセンサの読取速度の低下および画質の低下を抑制しつつ、均一な解像度の出力データが得られる。
【００２５】
本発明において、第一の原稿読取手段は、ＣＣＤセンサを含み、第二の原稿読取手段は、ＣＩＳセンサを含んでもよい。
【００２６】
この構成によれば、処理速度の違うＣＣＤセンサおよびＣＩＳセンサという２種類のイメージセンサを用いても、処理速度の大きい方のＣＣＤセンサの読取速度の低下を抑制しつつ、原稿の１パス両面読取が可能となる。
【００２７】
本発明において、第一の原稿読取手段および第二の原稿読取手段は、ラインセンサであり、第一の原稿読取手段および第二の原稿読取手段の読取周期は、固定値であってもよい。
【００２８】
この構成によれば、相対的にみて、同一の解像度であれば、読取周期が小さい第一の読取手段はラインセンサであり、主走査方向についてはタイミングを同期させて読取動作を行うため、副走査方向の読取速度が大きく、読取周期が大きい第二の読取手段はラインセンサであり、主走査方向についてはタイミングを同期させて読取動作を行うため、副走査方向の読取速度が小さくなる。この場合にも、この構成によれば、原稿の搬送速度を第一の読取手段の副走査方向の読取速度にあわせるため、処理速度の違う２種類のイメージセンサを用いて、処理速度の大きい方のイメージセンサの読取速度の低下を抑制しつつ、原稿の１パス両面読取が可能となる。
【００２９】
以下、本発明の実施の形態について、図面を用いて説明する。尚、すべての図面において、同様な構成要素には同様の符号を付し、適宜説明を省略する。
【００３０】
図１は、実施の形態に係る画像処理装置の構成を模式的に示した機能ブロック図である。画像処理装置１００は、例えばネットワークファクシミリ装置、ＭＦＰ（Ｍｕｌｔｉ  Ｆｕｎｃｔｉｏｎａｌ  Ｐｅｒｉｐｈｅｒａｌ）などである。画像処理装置１００は、ネットワーク１４１を介して複数のサーバ１４３（ファイルサーバ）に接続される。
【００３１】
画像処理装置１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置には、いろいろな変形例があることは、当業者には理解されるところである。すなわち、本明細書において説明する各図は、ハードウェア単位の構成ではなく、機能単位のブロックを示している。
【００３２】
本実施形態の画像処理装置１００は、原稿を搬送する原稿搬送部１１４を備える。画像処理装置１００は、原稿の搬送経路の一方の側（表面側）に設けられているＣＣＤセンサを含む原稿表面読取部１１６（第一の原稿読取手段）を備える。なお、ＣＣＤセンサを含む原稿表面読取部１１６の読取周期および主走査方向の走査速度は、固定値である。画像処理装置１００は、原稿の搬送経路の他方の側（裏面側）に設けられており、原稿表面読取部１１６の読取周期よりも大きい読取周期を有するＣＩＳセンサを含む原稿裏面読取部１１８（第二の原稿読取手段）を備える。なお、ＣＩＳセンサを含む原稿裏面読取部１１８の読取周期および主走査方向の走査速度は、固定値である。
【００３３】
画像処理装置１００は、後述する変倍率設定受付部２１５（変倍率受付部）と、読取面設定受付部２２０（読取面受付部）とを含む操作部１１３を備える。画像処理装置１００は、後述する基準搬送速度記憶部２１３および変倍率関数記憶部２２２を格納する記憶装置１１９を備える。
【００３４】
画像処理装置１００は、画像処理装置１００の各機構を制御する制御部１１７を備える。制御部１１７は、後述する読取制御部３００を備える。制御部１１７は、後述する画像処理部４００を備える。画像処理装置１００は、出力データを出力するプリンタ１１２、通信部１１１、インターフェース部１２１（いずれも出力部として機能し得る）を備える。
【００３５】
画像処理装置１００は、他の通信端末装置と複数の通信方式で通信が可能である。画像処理装置１００は、例えばＦＡＸ（ファックスあるいはファクシミリ）端末１３１、Ｅ−ｍａｉｌ（Ｅメールまたは電子メール）端末１３３およびＩ−ＦＡＸ（インターネットファックス）端末１３５との通信が可能である。ＦＡＸ端末１３１は、ＰＳＴＮ（公衆交換電話網）を通じて通信する他のＧ３ファックス端末である。Ｅ−ｍａｉｌ端末１３３およびＩ−ＦＡＸ端末１３５は、インターネットなどのネットワークを介して通信する他のコンピュータおよび他のインターネットファックス端末などである。画像処理装置１００は、これらのサーバ１４３（ファイルサーバ）、ネットワーク１４１、ＦＡＸ端末１３１、Ｅ−ｍａｉｌ端末１３３、Ｉ−ＦＡＸ端末１３５などとともに、画像処理システムを構築している。
【００３６】
より詳細に説明すると、画像処理装置１００は、通信部１１１と、表示部１１５と、制御部１１７と、記憶装置１１９と、操作部１１３と、インタフェース部１２１と、プリンタ１１２と、原稿表面読取部１１６と、原稿裏面読取部１１８と、原稿搬送部１１４とを備える。なお、図１において、本発明の本質に関わらない部分の構成については、省略してある。
【００３７】
通信部１１１（出力部）は、ＦＡＸ端末１３１、Ｅ−ｍａｉｌ端末１３３およびＩ−ＦＡＸ端末１３５などと通信を行う。操作部１１３は、例えば操作ボタン、スイッチ、レバー、キーボード、タッチパネルなどである。表示部１１５は、各種情報表示、操作画面表示であり、画像処理装置１００の動作や状態表示などを行う。表示部１１５は、例えばランプ、ＬＥＤ、ＣＲＴモニタ、液晶ディスプレイなどである。
【００３８】
制御部１１７（読取制御部３００および画像処理部４００を含む）は、画像処理装置１００の各種要素とともに装置全体を制御する。記憶装置１１９（基準搬送速度記憶部２１３および変倍率関数記憶部２２２を含む）は、電話帳などの情報を記憶する記憶領域を含んでもよい。インタフェース部１２１（出力部）は、ネットワーク１４１を介して接続された複数のファイルサーバ１４３（基準搬送速度記憶部２１３および変倍率関数記憶部２２２を含んでもよい）との通信を行う。
【００３９】
なお、ネットワーク１４１は、ファクシミリ方式、電子メール方式、あるいはその他の方式のいずれによりデータ通信を行うネットワークであってもよい。すなわち、ネットワーク１４１は、ＰＳＴＮ（公衆交換電話網）、ＬＡＮ、ＷＡＮ、あるいは他の通信網のいずれであってもよい。
【００４０】
図２は、図１の画像処理装置１００の制御部１１７を詳細に示す機能ブロック図である。制御部１１７は、読取制御部３００および画像処理部４００を含む。読取制御部３００は、後述する原稿の搬送速度を制御するパルス・モータ制御部３０５（搬送速度制御手段）を備える。
【００４１】
より詳細には、読取制御部３００は、ＣＣＤ駆動パルス発生部３０１と、ＣＩＳ駆動パルス発生部３０３と、パルス・モータ制御部３０５と、搬送モータ制御部３０７とを備える。ＣＣＤ駆動パルス発生部３０１は、ＣＣＤセンサを駆動するパルスを発生する。ＣＩＳ駆動パルス発生部３０３は、ＣＩＳセンサを駆動するパルスを発生する。
【００４２】
パルス・モータ制御部３０５は、読取面の設定が、原稿表面読取部１１６により原稿の片面のみを読み取る設定と、原稿表面読取部１１６および原稿裏面読取部１１８により原稿の両面を読み取る設定とのいずれの場合においても、変倍率関数に基準搬送速度および変倍率を代入して得られる値により、搬送モータ制御部３０７を介して、原稿の搬送速度を制御するように構成されている。搬送モータ制御部３０７は、モータ２０９の駆動速度を制御する。
【００４３】
画像処理部４００は、原稿表面読取部１１６または原稿裏面読取部１１８が読み取った原稿データを、変倍率に基づいて変形してなる出力データを作成する。画像処理部４００は、読取面の設定が、原稿表面読取部１１６および原稿裏面読取部１１８により原稿の両面を読み取る設定の場合には、原稿表面読取部１１６が読み取った原稿データと、原稿裏面読取部１１８が読み取った原稿データとの解像度を、低い方の解像度にあわせて調整するように構成されている。
【００４４】
あるいは、画像処理手段は、読取面の設定が、原稿表面読取部１１６および原稿裏面読取部１１８により原稿の両面を読み取る設定の場合には、原稿表面読取部１１６が読み取った原稿データと、原稿裏面読取部１１８が読み取った原稿データとのうち、低い方の解像度の原稿データを補間処理して高い方の解像度にあわせて調整するように構成されていてもよい。
【００４５】
より詳細には、画像処理部４００は、ＣＣＤデータ処理部４０１と、ＣＩＳデータ処理部４０３と、原稿データ処理部４０５と、画像加工部４０７と、変倍率・読取面設定取得部４０９とを備える。ＣＣＤデータ処理部４０１は、ＣＣＤセンサ２０５から原稿の表面の画像データを取得し、アナログデータをデジタルデータに変換する。ＣＩＳデータ処理部４０３は、ＣＩＳセンサ２０７から原稿の裏面の画像データを取得し、アナログデータをデジタルデータに変換する。原稿データ処理部４０５は、原稿の表面の画像データおよび原稿の裏面の画像データとを統合して裏表の画像データからなる原稿データを作成する。変倍率・読取面設定取得部４０９は、変倍率設定受付部２１５から変倍率の設定を取得し、読取面設定受付部２２０から読取面の設定を取得する。
【００４６】
画像加工部４０７は、変倍率の設定に応じて、統合された原稿データのうち原稿の表面の画像データおよび原稿の裏面の画像データを相似形に変形することができる。また、画像加工部４０７は、原稿の表面の画像データおよび原稿の裏面の画像データのうち、解像度の高い方の画像データを低い方の解像度にあわせる解像度変換を行うこともできる。さらに、画像加工部４０７は、原稿の表面の画像データおよび原稿の裏面の画像データのうち、解像度の低い方の画像データを補間して高い方の解像度にあわせる解像度変換を行うこともできる。
【００４７】
原稿表面読取部１１６は、ＣＣＤセンサ２０５を備える。ＣＣＤ（Ｃｈａｒｇｅ Ｃｏｕｐｌｅｄ Ｄｅｖｉｃｅ）センサ２０５は、光情報を電気信号に変換（光電変換）する半導体素子である。ＣＣＤセンサ２０５は、光を電気に変換する受光素子（画素）を複数個ならべる事で、光の変化を画素ごとに独立して電気信号に変えることができる。
【００４８】
デジタル複写機やファクシミリなどの画像処理装置１００に使われるＣＣＤセンサ２０５は、「ラインセンサ」の一種であり、数百〜数千個の画素を１列に配置したものである。なお、ＣＣＤセンサ２０５は、原稿台の幅より短いイメージセンサで読み取りを行うため、そのセンサ幅まで被写体像を１／５程度に縮小投影させるレンズ（不図示）と、必要な光路長を確保するためのミラー（不図示）などの比較的複雑な光学系を備える。一方、１ライン分のイメージセンサに充分な電荷を蓄積するには、ＣＩＳセンサ２０７の場合よりも短時間ですむ。このため、ＣＩＳセンサ２０７よりも読取周期を小さくすることができる。
【００４９】
原稿裏面読取部１１８は、ＣＩＳセンサ２０７を備える。デジタル複写機やファクシミリなどの画像処理装置１００に使われるＣＩＳ（Ｃｏｎｔａｃｔ Ｉｍａｇｅ・Ｓｅｎｓｏｒ）センサ２０７も、ラインセンサ」の一種であり、原稿台と同じ幅にレンズアレイとイメージセンサを配置している。ＣＣＤセンサ２０５とは異なり、１対１の密着方式で原稿を読み込む方式となっている。その結果、被写体像を縮小させる複雑な光学系は不要であり、ＣＣＤセンサ２０５に比べると小型化しやすい。ただし、１ライン分のイメージセンサに充分な電荷を蓄積するには、ＣＣＤセンサ２０５の場合よりも長時間を要する。このため、ＣＣＤセンサ２０５よりも読取周期を大きくする必要がある。
【００５０】
原稿搬送部１１４は、モータ２０９と、搬送機構２１１とを備える。モータ２０９は、搬送機構２１１を駆動する。搬送機構２１１は、ＣＣＤセンサ２０５およびＣＩＳセンサ２０７の間に設けられている搬送経路に原稿を搬送する。操作部１１３は、変倍率設定受付部２１５と、読取面設定受付部２２０とを備える。変倍率設定受付部２１５は、変倍率の設定を受け付ける。読取面設定受付部２２０は、片面読取または両面読取のいずれの設定であるかを受け付ける。
【００５１】
画像処理装置１００は、基準搬送速度記憶部２１３および変倍率関数記憶部２２２を格納する記憶装置１１９を備える。基準搬送速度記憶部２１３は、原稿表面読取部１１６により原稿の片面のみを読み取り、変倍率が等倍率である場合の基準搬送速度を記憶する。変倍率関数記憶部２２２は、原稿表面読取部１１６により原稿の片面のみを読み取る場合に、変倍率と基準搬送速度とから原稿の搬送速度を求めるための変倍率関数を記憶する。
【００５２】
以下、実施形態の画像処理装置の動作について説明する。
図３は、実施の形態に係る画像処理装置の原稿読取の方向を説明するための概念図である。デジタル複写機やファクシミリなどの画像処理装置１００の画質は、１ｍｍ当たりのドットの数＝「線密度」により決めることができる。一般に、図示した左右方向を「主走査方向」と呼び、上下方向を「副走査方向」と呼ぶ。すなわち、原稿の読取方向（原稿の搬送方向）と副走査方向とは平行であり、原稿の読取方向と主走査方向とは直交する。
【００５３】
図４は、実施の形態に係る画像処理装置の動作を説明するためのフローチャートである。
オペレータが画像処理装置１００の原稿トレイ内に原稿をセットし、操作部１１３に設けられている複写スタートボタンを押すと、一連のフローがスタートする。まず、制御部１１７が原稿トレイ内に原稿がセットされているか、センサなどを介して確認する（Ｓ１０１）。原稿トレイ内に原稿がセットされていない場合には、制御部１１７は、画像処理装置１００に一連のフローを終了させる。この際、制御部１１７は、表示部１１５に原稿トレイ内に原稿をセットすることを促す表示をさせてもよい。原稿トレイ内に原稿がセットされていれば、制御部１１７は、読取制御部３００および画像処理部４００に次のステップ（Ｓ１０３）に進むことを指示する信号を送信する。
【００５４】
次に、信号を受信した読取制御部３００および画像処理部４００は、変倍率・読取面設定取得部４０９に信号を送信する。信号を受信した変倍率・読取面設定取得部４０９は、操作部１１３の読取面設定受付部２２０および変倍率設定受付部２１５から読取面設定データおよび変倍率設定データを取得し、読取面設定データおよび変倍率設定データを、画像加工部４０７およびパルス・モータ制御部３０５に送信する。
【００５５】
読取面設定データおよび変倍率設定データを取得した画像加工部４０７は、読取面設定データを参照して、読取面設定が片面読取設定または両面読取設定のいずれであるか判断する（Ｓ１０３）。片面読取設定である場合には、画像加工部４０７は、変倍率設定データを参照して、変倍率に応じた処理をするための設定を整え、原稿データの受信を待ち受ける（Ｓ１０７）。
【００５６】
両面読取設定である場合には、画像加工部４０７は、変倍率設定データを参照して、変倍率に応じた処理をするための設定を整え、原稿データの受信を待ち受ける（Ｓ１０５）。また、両面読取設定である場合には、画像加工部４０７は、原稿データの表面画像データおよび裏面画像データの解像度を比較して、いずれかの画像データの副走査解像度の変換処理をするための設定を整え、原稿データの受信を待ち受ける（Ｓ１０９）。
【００５７】
読取面設定データおよび変倍率設定データを取得したパルス・モータ制御部３０５は、読取面設定データを参照して、読取面設定が片面読取設定または両面読取設定のいずれであるか判断する（Ｓ１０３）。片面読取設定である場合には、パルス・モータ制御部３０５は、記憶装置１１９内に格納されている基準搬送速度記憶部２１３から、読取面設定が片面読取設定であり、変倍率が等倍率である場合の原稿搬送速度である基準搬送速度のデータを取得する。また、パルス・モータ制御部３０５は、記憶装置１１９内に格納されている変倍率関数記憶部２２２から、変倍率と基準搬送速度とから原稿の搬送速度を求めるための関数である変倍率関数を取得する。そして、パルス・モータ制御部３０５は、変倍率と基準搬送速度とを変倍率関数に代入して、原稿の搬送速度を求める。そして、パルス・モータ制御部３０５は、原稿搬送部１１４のモータ２０９に変倍率に基づいて求められた原稿搬送速度を送信し、ＣＣＤ駆動パルス発生部３０１に固定値の読取周期にてパルスを発生するように指示を送信する（Ｓ１０７）。
【００５８】
両面読取設定である場合には、パルス・モータ制御部３０５は、記憶装置１１９内に格納されている基準搬送速度記憶部２１３から、読取面設定が片面読取設定であり、変倍率が等倍率である場合の原稿搬送速度である基準搬送速度のデータを取得する。また、パルス・モータ制御部３０５は、記憶装置１１９内に格納されている変倍率関数記憶部２２２から、変倍率と基準搬送速度とから原稿の搬送速度を求めるための関数である変倍率関数を取得する。そして、パルス・モータ制御部３０５は、変倍率と基準搬送速度とを変倍率関数に代入して、原稿の搬送速度を求める。そして、パルス・モータ制御部３０５は、原稿搬送部１１４のモータ２０９に変倍率に基づいて求められた原稿搬送速度データを送信し、ＣＣＤ駆動パルス発生部３０１およびＣＩＳ駆動パルス発生部３０３にそれぞれ固定値の読取周期にてパルスを発生するように指示を送信する（Ｓ１０５）。
【００５９】
片面読取設定の場合、原稿搬送速度データを受信したモータ２０９は、受信した原稿搬送速度データに基づいた回転数で回転し、回転エネルギーを搬送機構２１１に伝達する。回転エネルギーを受け取った搬送機構２１１は、原稿搬送速度データに基づいた原稿搬送速度で、ＣＣＤセンサ２０５およびＣＩＳセンサ２０７の間に設けられている搬送経路中に原稿を移動させる。
【００６０】
片面読取設定の場合、指示を受けたＣＣＤ駆動パルス発生部３０１は、ＣＣＤセンサ２０５に対して固定された読取周期を有するパルスを発信する。パルスを受信したＣＣＤセンサ２０５は、パルスの読取周期に同期したタイミングで、搬送経路中を移動する原稿の表面の画像データを読み取る（Ｓ１１１）。ＣＣＤセンサ２０５は、読み取った原稿表面の画像データを画像処理部４００のＣＣＤデータ処理部４０１に送信する。
【００６１】
両面読取設定の場合、原稿搬送速度データを受信したモータ２０９は、受信した原稿搬送速度データに基づいた回転数で回転し、回転エネルギーを搬送機構２１１に伝達する。回転エネルギーを受け取った搬送機構２１１は、原稿搬送速度データに基づいた原稿搬送速度で、ＣＣＤセンサ２０５およびＣＩＳセンサ２０７の間に設けられている搬送経路中に原稿を移動させる。
【００６２】
両面読取設定の場合、指示を受けたＣＣＤ駆動パルス発生部３０１は、ＣＣＤセンサ２０５に対して固定された読取周期を有するパルスを発信する。このパルスの読取周期は、後述するＣＩＳ駆動パルス発生部３０３が発生するパルスの読取周期よりも短いものとする。パルスを受信したＣＣＤセンサ２０５は、パルスの読取周期に同期したタイミングで、搬送経路中を移動する原稿の表面の画像データを読み取る（Ｓ１１１）。ＣＣＤセンサ２０５は、読み取った原稿表面の画像データを画像処理部４００のＣＣＤデータ処理部４０１に送信する。
【００６３】
両面読取設定の場合、指示を受けたＣＩＳ駆動パルス発生部３０３は、ＣＩＳセンサ２０７に対して固定された読取周期を有するパルスを発信する。このパルスの読取周期は、上述したＣＣＤ駆動パルス発生部３０１が発生するパルスの読取周期よりも長いものとする。パルスを受信したＣＩＳセンサ２０７は、パルスの読取周期に同期したタイミングで、搬送経路中を移動する原稿の表面の画像データを読み取る（Ｓ１１１）。ＣＩＳセンサ２０７は、読み取った原稿表面の画像データを画像処理部４００のＣＩＳデータ処理部４０３に送信する。
【００６４】
１枚の原稿の読取りが終了すると、制御部１１７は、原稿トレイ内に次原稿がセットされているか、センサなどを介して確認する（Ｓ１１３）。原稿トレイ内に次原稿がセットされている場合には、制御部１１７は、画像処理装置１００に再びＳ１０３以降の一連のフローを繰り返させる。原稿トレイ内に次原稿がセットされていなければ、制御部１１７は、読取制御部３００に一連のフローを終了させる信号を送信し、画像処理部４００に次のステップ（Ｓ１１５）に進むことを指示する信号を送信する。
【００６５】
ＣＣＤデータ処理部４０１は、ＣＣＤセンサ２０５から原稿表面の画像データを取得すると、アナログ画像データをデジタル画像データに変換し、変換後の原稿表面の画像データを原稿データ処理部４０５に送信する。ＣＩＳデータ処理部４０３は、ＣＩＳセンサ２０７から原稿裏面の画像データを取得すると、アナログ画像データをデジタル画像データに変換し、変換後の原稿裏面の画像データを原稿データ処理部４０５に送信する。
【００６６】
片面読取設定の場合、原稿データ処理部４０５は、ＣＣＤデータ処理部４０１から取得した原稿表面の画像データにシェーディング処理などの適切な処理を施した上で、画像加工部４０７に送信する。両面読取設定の場合、原稿データ処理部４０５は、ＣＣＤデータ処理部４０１から取得した原稿表面の画像データおよびＣＩＳデータ処理部４０３から取得した原稿裏面の画像データを同一ファイルに統合した上で、さらにシェーディング処理などの適切な処理を施した後、画像加工部４０７に送信する。
【００６７】
片面読取設定の場合、画像加工部４０７は、原稿データ処理部４０５から取得した原稿データに、あらかじめ設定された変倍率処理を行う（Ｓ１１５）。両面読取設定の場合、画像加工部４０７は、原稿データ処理部４０５から取得した原稿データに、あらかじめ設定された変倍率処理を行う。両面読取設定の場合、画像加工部４０７は、変倍率処理にくわえて、あらかじめ設定された副走査解像度の変換処理を行う。すなわち、原稿データの表面画像データおよび裏面画像データの解像度を比較して、いずれかの画像データの副走査解像度の変換処理をする（Ｓ１１５）。変倍率処理および副走査解像度の変換処理の内容については、詳しくは後述する。
【００６８】
画像加工部４０７は、処理済みの画像データからなる出力データをプリンタドライバ２１７に送信する。出力データを受信したプリンタドライバ２１７は、出力データをプリンタ１１２に送信する。出力データを受信したプリンタ１１２は、出力データを用紙にプリントする（Ｓ１１７）。プリントが終了すると、制御部１１７は、画像処理装置１００に一連のフローを終了させる。
【００６９】
以下、本実施形態の画像処理装置における原稿搬送速度、変倍率設定および副走査解像度変換設定の決定方法について説明する。
【００７０】
ここで、本実施形態における変倍率には、任意倍率および固定倍率が含まれる。任意倍率とは、任意の入力でコピー倍率を指定してコピーすることを意味する。画像処理装置１００の変倍率設定受付部２１５は、％表示でボタンを押すごとに１％刻みで数字が進むようになっており、微妙な拡大・縮小ができるようになっている。また、テンキーからダイレクトにパーセンテージを入力することもできる。
【００７１】
すなわち、変倍率が１００％である場合は、等倍率を意味する。変倍率が２００％である場合には、原稿の縦横のサイズをともに２倍に拡大することを意味する。変倍率が５０％である場合には、原稿の縦横のサイズをともに１／２倍に縮小することを意味する。また、画像処理装置１００の変倍率設定受付部２１５には、「Ａ４→Ｂ４」や「Ａ４→Ａ３」などの様に固定倍率が表示されている。これらの固定倍率を選択すると、最適な倍率で拡大・縮小処理するように構成されている。
【００７２】
画像処理装置１００では、副走査方向の変倍動作は、イメージセンサであるＣＣＤセンサ２０５およびＣＩＳセンサ２０７の画像の読取周期（パルス周期）が、変倍率に無関係に一定の固定値であるという前提のもとで、副走査方向の原稿移動速度（原稿搬送速度）を可変にすることにより行っている。
【００７３】
画像処理装置１００では、原稿搬送速度は、基準搬送速度を変倍率で除した値が設定される。具体的には、基準原稿搬送速度が１００ｍｍ／ｓであり、変倍率が２００％である場合には、原稿搬送速度は、１００ｍｍ／ｓ×（１／２）＝５０ｍｍ／ｓとなる。このようにすることにより、変倍率により原稿データを拡大縮小しても、等倍率の場合にくらべて解像度が低下することを抑制することができる。なお、原稿搬送速度の算出方法は、片面読取設定の場合も、両面読取設定の場合も同様である。
【００７４】
このとき、主走査方向の解像度は、ＣＣＤセンサ２０５またはＣＩＳセンサ２０７を構成する光電変換素子の密度によって決まり、原稿搬送速度に影響を受けない。また、主走査方向の画素の補間または間引きにより、主走査方向の解像度変換をすることができる。そして、主走査方向の解像度変換処理は、後述する副走査方向の解像度変換処理と同時にまたは独立して行うことができる。なお、解像度は、ｄｐｉ（ｄｏｔｓ ｐｅｒ ｉｎｃｈ）という単位で表記する。
【００７５】
画像処理装置１００では、両面読取設定の場合には、副走査解像度変換設定を行う。ＣＣＤセンサ２０５およびＣＩＳセンサ２０７では、同じ解像度であれば、原稿の読取速度が異なる（ＣＣＤセンサ２０５の読取速度は、ＣＩＳセンサ２０７の読取速度よりも大きい）。このため、同じ原稿搬送速度で原稿を搬送することとすると、ＣＩＳセンサ２０７解像度は、ＣＣＤセンサ２０５の解像度よりも小さくなる。そこで、原稿両面の解像度を均一化する要請が生じる。
【００７６】
本実施形態の副走査解像度変換設定では、ＣＣＤセンサ２０５が読み取った原稿表面データと、ＣＩＳセンサ２０７が読み取った原稿裏面データとの解像度を、低い方の解像度にあわせて調整する。具体的には、解像度が高い原稿表面データのラインを一定の間隔で間引くことにより、原稿表面データの解像度を原稿裏面データの解像度と同じ値に低減する。このとき、場合によっては、副走査方向と同じ解像度になるように、主走査方向についても解像度変換を行う。
【００７７】
あるいは、本実施形態の副走査解像度変換設定では、ＣＣＤセンサ２０５が読み取った原稿表面データと、ＣＩＳセンサ２０７が読み取った原稿裏面データとのうち、低い方の解像度の原稿裏面データを補間処理して、高い方の解像度にあわせて調整してもよい。具体的には、解像度が低い原稿裏面データのライン間に一定の間隔でラインを追加して補間処理することにより、原稿裏面データの解像度を原稿表面データの解像度と同じ値に向上する。このとき、場合によっては、副走査方向と同じ解像度になるように、主走査方向についても解像度変換を行う。
【００７８】
以下、本実施形態の画像処理装置における原稿搬送速度、変倍率設定および副走査解像度変換設定の決定方法について、別の観点からさらに詳しく説明する。
【００７９】
すなわち、本実施形態では、両面読取時に、処理速度の遅いイメージセンサ（ＣＩＳセンサ２０７）の読み取り周期Ｂと速いイメージセンサ（ＣＣＤセンサ２０５）の読み取り周期Ａとに基づいて、原稿表面および原稿裏面の読取速度が等しくなるようにする。具体的には、ＣＩＳセンサ２０７で読み取る原稿裏面側の副走査方向の移動速度を、ＣＣＤセンサ２０５と同じ解像度で読み取る場合の移動速度のＢ／Ａ倍に設定する。その結果、ＣＩＳセンサ２０７で読み取る原稿裏面側の副走査方向の移動速度は、ＣＣＤセンサ２０５で読み取る原稿表面側の副走査方向の移動速度と同じ値になる。
【００８０】
また、さらに変倍処理を行う場合には、ＣＩＳセンサ２０７で読み取る原稿裏面側の副走査方向の移動速度を、等倍率の条件でＣＣＤセンサ２０５と同じ解像度で読み取る場合の移動速度の（Ｂ／Ａ）＊（１／変倍率）に設定する。このとき、ＣＣＤセンサ２０５で読み取る原稿表面の読取速度は、等倍率の場合の速度の（１／変倍率）倍になる。その結果、ＣＩＳセンサ２０７で読み取る原稿裏面側の副走査方向の移動速度は、ＣＣＤセンサ２０５で読み取る原稿表面側の副走査方向の移動速度と同じ値になる。
【００８１】
例えば、数式で示せば、以下の通りとなる。
ｍ＝副走査方向へモータ１ｓｔｅｐ分の移動距離
ｖｃｃｄ＝ＣＣＤ読み取り時の副走査方向の移動速度
ｖｃｉｓ＝ＣＩＳ読み取り時の副走査方向の移動速度
Ａ＝ＣＣＤの読み取り周期
Ｂ＝ＣＩＳの読み取り周期
とすると、
ＣＣＤの読み取り速度は、
ｖｃｃｄ＝ｍ／Ａ
ＣＩＳの読み取り速度は、
ｖｃｉｓ＝ｍ／Ｂ
両面読み取りをＣＣＤの読み取り速度で読み取ると
ｖｃｃｄ＝ｖｃｉｓＢ／Ａ
通常のＢ／Ａ倍の速度で読み取る必要がある。
この速度では、Ｂ／Ａ倍の移動距離となり、解像度がＡ／Ｂになる。
これが、変倍読み取りになると、（１／変倍率）も掛け合わせることになる。
【００８２】
要するに、読み取り速度の遅いＣＩＳは、解像度を下げることによりトータル（１ページ）の読み取り時間をＣＣＤと同じにしていることになる。
【００８３】
以下、本実施形態の画像処理装置の作用効果について説明する。
第一に、画像処理装置１００は、両面読取方式の原稿読取速度および変倍率設定への対応の柔軟性に優れる。具体的には、画像処理装置１００が、１パスタイプであり、２つの読み取りセンサ（ともにラインセンサ）が種類（限界処理速度）の異なるもの（ＣＣＤセンサ２０５およびＣＩＳセンサ２０７）であることを前提として、ＣＩＳセンサ２０７の読取速度を、ＣＣＤセンサ２０５と同じ解像度かつ等倍率の場合の副走査方向の速度に、センサの読取周期の比率と（１／変倍率）とを掛け合わせた副走査方向の移動速度に設定する。また、ＣＣＤセンサ２０５の読取速度も、等倍率の場合の副走査方向の速度に、（１／変倍率）を掛け合わせた副走査方向の移動速度に設定する。
【００８４】
すなわち、読取速度の遅いＣＩＳセンサ２０７については、読取解像度を下げることにより、トータル（１ページ）の読取時間を片面読取時間（ＣＣＤセンサ２０５のみによる読取時間）と同じにする。その結果、トータルの読取時間を短縮することができる。すなわち、１パスタイプの両面読取方式の画像処理装置の読取速度を向上することができる。よって、画像処理装置１００は、両面読取方式の原稿読取速度および変倍率設定への対応の柔軟性に優れる。
【００８５】
第二に、画像処理装置１００によれば、ＣＣＤセンサ２０５が読み取った原稿表面データと、ＣＩＳセンサ２０７が読み取った原稿裏面データとの解像度を、低い方の解像度にあわせて調整することができるため、全体として均一な解像度からなる出力データを作成することができる。このため、処理速度の大きい方のイメージセンサの読取速度の低下を抑制しつつ、均一な解像度の出力データを得ることができる。
【００８６】
第三に、画像処理装置１００によれば、ＣＣＤセンサ２０５が読み取った原稿表面データと、ＣＩＳセンサ２０７が読み取った原稿裏面データとの解像度を、補間処理により高い方の解像度にあわせて調整するため、画質の低下を抑制しつつ、全体として均一な解像度からなる出力データを作成することができる。このため、処理速度の大きい方のＣＣＤセンサ２０５の読取速度の低下および画質の低下を抑制しつつ、均一な解像度の出力データが得られる。
【００８７】
以上、図面を参照して本発明の実施形態について述べたが、これらは本発明の例示であり、上記以外の様々な構成を採用することもできる。
【００８８】
たとえば、上記の実施形態では、出力データをプリンタ１１２により印刷することとしたが、特に限定する趣旨ではない。例えば、出力データを通信部１１１を介して、別のＦＡＸ端末１３１に送信し、別のＦＡＸ端末１３１にて印刷してもよい。
【００８９】
また、上記の実施形態では、パルス・モータ制御部３０５は、記憶装置１１９内に格納されている変倍率関数記憶部２２２および基準搬送速度記憶部２１３から、変倍率関数および基準搬送速度についてのデータを取得する構成としたが、特に限定する趣旨ではない。例えば、パルス・モータ制御部３０５は、記憶装置１１９内に変倍率関数記憶部２２２および基準搬送速度記憶部２１３がみあたらないときは、インターフェース部１２１およびネットワーク１４１を介して、複数のサーバ１４３内を検索してもよい。その結果、パルス・モータ制御部３０５は、いずれかのサーバ１４３内に格納されている変倍率関数記憶部２２２および基準搬送速度記憶部２１３を見出した場合には、サーバ１４３内に格納されている変倍率関数記憶部２２２および基準搬送速度記憶部２１３から変倍率関数および基準搬送速度についてのデータを取得してもよい。
【図面の簡単な説明】
【００９０】
【図１】実施の形態に係る画像処理装置の構成を模式的に示した機能ブロック図である。
【図２】実施の形態に係る画像処理装置の制御部の構成を模式的に示した機能ブロック図である。
【図３】実施の形態に係る画像処理装置の原稿読取の方向を説明するための概念図である。
【図４】実施の形態に係る画像処理装置の動作を説明するためのフローチャートである。
【図５】従来公知の画像読取装置の画像制御系の主な機能のブロック図である。
【符号の説明】
【００９１】
１００  画像処理装置
１１１  通信部
１１２  プリンタ
１１３  操作部
１１４  原稿搬送部
１１５  表示部
１１６  原稿表面読取部
１１７  制御部
１１８  原稿裏面読取部
１１９  記憶装置
１２１  インターフェース部
１３１  ＦＡＸ端末
１３３  Ｅ−ｍａｉｌ端末
１３５  Ｉ−ＦＡＸ端末
１４１  ネットワーク
１４３  サーバ
２０５  ＣＣＤセンサ
２０７  ＣＩＳセンサ
２０９  モータ
２１１  搬送機構
２１３  基準搬送速度記憶部
２１５  変倍率設定受付部
２２０  読取面設定受付部
２２２  変倍率関数記憶部
３００  読取制御部
３０１  ＣＣＤ駆動パルス発生部
３０３  ＣＩＳ駆動パルス発生部
３０５  パルス・モータ制御部
３０７  搬送モータ制御部
４００  画像処理部
４０１  ＣＣＤデータ処理部
４０３  ＣＩＳデータ処理部
４０５  原稿データ処理部
４０７  画像加工部
４０９  変倍率・読取面設定取得部
１１０２  画像処理部
１１０３  画像メモリ部
１１０４  ＣＰＵ
１０１６  ＣＣＤセンサ部
１１１０  操作部
１１１１  表示部
１１１３  モータドライバ部
１１１４  モータ
１１１５  モータ
１０２０  ＣＩＳセンサ部
【図１】
2006115134.tif 000003
【図２】
2006115134.tif 000004
【図３】
2006115134.tif 000005
【図４】
2006115134.tif 000006
【図５】
2006115134.tif 000007